【手続補正書】
【提出日】平成25年11月21日(2013.11.21)
【手続補正１】
【補正対象書類名】特許請求の範囲
【補正対象項目名】全文
【補正方法】変更
【補正の内容】
【特許請求の範囲】
【請求項１】
１または複数のグループに属するコンテンツを選択するためのインデックス画像をコンテンツ単位で表示部の表示面における所定位置に配置する一覧表示画面と前記インデックス画像をグループ単位で前記表示面における所定位置に配置するグループ表示画面とを切り替える切替操作に基づいて前記一覧表示画面および前記グループ表示画面の何れかを前記表示部に表示させ、前記切替操作が受け付けられた場合には当該切替操作の受付時に表示されていた前記一覧表示画面および前記グループ表示画面のうちの何れか一方の画面における所定位置から当該切替操作の受付後に表示される他方の画面における所定位置まで前記インデックス画像をコンテンツ単位で移動させて前記移動の際に当該移動対象となるインデックス画像をアニメーション表示させる表示制御部を具備する電子機器。
【請求項２】
前記表示制御部は、前記インデックス画像をマトリクス状に並べて配置する画面を前記一覧表示画面として表示させ、１つのグループを構成する各コンテンツに対応する前記インデックス画像が上書き合成により形成される合成画像を当該グループを表すグループ画像とし、前記グループ画像をグループ単位で所定位置に配置する画面を前記グループ表示画面として表示させる請求項１記載の電子機器。
【請求項３】
前記表示制御部は、前記切替操作が受け付けられた場合には前記一覧表示画面における特定方向において隣接する各インデックス画像の単位時間当たりの移動速度の変化率が異なるように前記インデックス画像を移動させる請求項２記載の電子機器。
【請求項４】
前記表示制御部は、前記グループ表示画面から前記一覧表示画面に切り替える前記切替操作が受け付けられた場合には前記グループ画像として上側に表示されているインデックス画像については当該表示位置から前記一覧表示画面における所定位置まで移動させ、前記グループ画像として上側に表示されていないインデックス画像については当該グループ画像における所定位置から前記一覧表示画面における所定位置まで移動させる請求項２記載の電子機器。
【請求項５】
前記表示制御部は、１つのグループを構成する各コンテンツに対応する前記インデックス画像を連続して並べて配置する画面を前記一覧表示画面として表示させる請求項１記載の電子機器。
【請求項６】
前記表示制御部は、前記インデックス画像の長手方向が特定方向となるように並べて配置する画面を前記一覧表示画面として表示させ、前記インデックス画像のうちの少なくとも１つを所定角度だけ回転させて前記表示面における所定位置に配置する画面を前記グループ表示画面として表示させる請求項１記載の電子機器。
【請求項７】
前記表示制御部は、前記移動の際における移動元から移動先までの間に前記回転の対象となるインデックス画像が前記移動先の角度となるように当該インデックス画像の角度を変更しながらアニメーション表示を行う請求項６記載の電子機器。
【請求項８】
前記表示制御部は、前記移動元から前記移動先までの間に前記回転の対象となるインデックス画像の単位時間当たりの回転速度の変化率と当該インデックス画像の単位時間当たりの移動速度の変化率とを関連付けてアニメーション表示を行う請求項７記載の電子機器。
【請求項９】
前記表示制御部は、前記グループ表示画面から前記一覧表示画面に切り替える前記切替操作が受け付けられた場合には当該切替操作の受付時に表示されていた前記グループ表示画面に含まれる前記グループ画像のうち特定位置に配置されているグループ画像に係る前記インデックス画像のみをアニメーション表示させる請求項２記載の電子機器。
【請求項１０】
前記表示制御部は、前記グループ表示画面に含まれるインデックス画像と前記一覧表示画面に含まれるインデックス画像とを異なるサイズとして表示させ、前記切替操作が受け付けられた場合には前記移動の際における移動元から移動先までの間に前記一方の画面に含まれるインデックス画像のサイズが前記他方の画面に含まれるインデックス画像のサイズとなるように前記移動対象となるインデックス画像のサイズを変更しながらアニメーション表示を行う請求項１記載の電子機器。
【請求項１１】
前記インデックス画像は、略矩形状であり、
前記グループ表示画面に含まれるインデックス画像は、前記一覧表示画面に含まれるインデックス画像の長手方向における両端が切り取られたトリミング画像であり、
前記表示制御部は、前記グループ表示画面から前記一覧表示画面に切り替える前記切替操作が受け付けられた場合には前記移動元から前記移動先までの間に前記トリミング画像に元の画像を付加しながらアニメーション表示を行い、前記一覧表示画面から前記グループ表示画面に切り替える前記切替操作が受け付けられた場合には前記移動元から前記移動先までの間に前記インデックス画像の長手方向における両端を消去しながらアニメーション表示を行う
請求項１０記載の電子機器。
【請求項１２】
前記表示制御部は、前記移動元から前記移動先までの間に前記インデックス画像の単位時間当たりの前記元の画像の付加の割合の変化率と当該インデックス画像の単位時間当たりの移動速度の変化率とを関連付けてアニメーション表示を行う請求項１１記載の電子機器。
【請求項１３】
前記表示制御部は、前記一覧表示画面から前記グループ表示画面に切り替える前記切替操作が受け付けられた場合には当該切替操作の受付時に表示されていた前記一覧表示画面に含まれる前記インデックス画像のうち特定位置に配置されているインデックス画像に係るグループを構成するコンテンツに係るインデックス画像のみをアニメーション表示させる請求項２記載の電子機器。
【請求項１４】
１または複数のグループに属するコンテンツを選択するためのインデックス画像をコンテンツ単位で表示部の表示面における所定位置に配置する一覧表示画面と前記インデックス画像をグループ単位で前記表示面における所定位置に配置するグループ表示画面とを切り替える切替操作に基づいて前記一覧表示画面および前記グループ表示画面の何れかを前記表示部に表示させる第１制御手順と、
前記切替操作が受け付けられた場合には当該切替操作の受付時に表示されていた前記一覧表示画面および前記グループ表示画面のうちの何れか一方の画面における所定位置から当該切替操作の受付後に表示される他方の画面における所定位置まで前記インデックス画像をコンテンツ単位で移動させて前記移動の際に当該移動対象となるインデックス画像をアニメーション表示させる第２制御手順と
を具備する表示制御方法。
【請求項１５】
１または複数のグループに属するコンテンツを選択するためのインデックス画像をコンテンツ単位で表示部の表示面における所定位置に配置する一覧表示画面と前記インデックス画像をグループ単位で前記表示面における所定位置に配置するグループ表示画面とを切り替える切替操作に基づいて前記一覧表示画面および前記グループ表示画面の何れかを前記表示部に表示させる第１制御手順と、
前記切替操作が受け付けられた場合には当該切替操作の受付時に表示されていた前記一覧表示画面および前記グループ表示画面のうちの何れか一方の画面における所定位置から当該切替操作の受付後に表示される他方の画面における所定位置まで前記インデックス画像をコンテンツ単位で移動させて前記移動の際に当該移動対象となるインデックス画像をアニメーション表示させる第２制御手順と
をコンピュータに実行させるプログラム。